(57)【要約】【課題】天板上に鍋やフライパンなどが置かれていても換気装置を連動させることのできる電磁調理器を提供する。【解決手段】調理器本体の天板の外周部に設けられた枠体３と、調理器本体を正面から見て手前側の枠体３に設けられた操作パネル７と、手前側の枠体３内側にその面と平行になるように配置された前記操作パネル７の回路基板３１と、回路基板３１上に設けられた赤外線発光素子３０と、手前側の枠体３に設けられた赤外線照射口３ｂと、手前側の枠体３に回路基板３１の方向に延びて設けられた反射板３ａとを備え、手前側の枠体３は、手前に向かうに従って下方に傾斜し、反射板３ａは、赤外線発光素子３０からの赤外線が枠体３の傾斜面に設けられた赤外線照射口３ｂから操作パネル７の赤外線透過部８を介して天板の上方に位置する換気装置に向けて照射されるように角度θが設定されている。【選択図】図４
2010238584.tif 000002
【特許請求の範囲】
【請求項１】
調理器本体の上部に設置された天板と、
前記天板の外周部に設けられた枠体と、
調理器本体を正面から見て手前側の枠体に設けられ、調理器本体内の各加熱源の火力を操作する操作パネルと、
手前側の枠体の内側にその面と平行になるように配置された前記操作パネルの回路基板と、
前記回路基板上に設けられた赤外線発光素子と、
手前側の枠体に設けられた赤外線照射口と、
手前側の枠体に前記回路基板の方向に延びて設けられた反射板とを備え、
手前側の枠体は、手前に向かうに従って下方に傾斜し、
前記反射板は、前記赤外線発光素子からの赤外線が枠体の傾斜面に設けられた前記赤外線照射口から前記操作パネルを介して前記天板の上方に位置する換気装置に向けて照射されるように角度が設定され、
前記赤外線により換気装置を連動させることを特徴とする電磁調理器。
【請求項２】
調理器本体の上部に設置された天板と、
前記天板の外周部に設けられた枠体と、
調理器本体を正面から見て手前側の枠体に露出して設けられ、その上部に調理器本体内の各加熱源の火力を操作する操作パネルを有する基板ホルダーと、
前記基板ホルダーの内側にその面と平行になるように配置された前記操作パネルの回路基板と、
前記回路基板上に設けられた赤外線発光素子と、
前記基板ホルダーに設けられた赤外線照射口と、
前記基板ホルダーに前記回路基板の方向に延びて設けられた反射板とを備え、
手前側の枠体は、手前に向かうに従って下方に傾斜し、
前記反射板は、前記赤外線発光素子からの赤外線が枠体の傾斜面に設けられた前記赤外線照射口から前記操作パネルを介して前記天板の上方に位置する換気装置に向けて照射されるように角度が設定され、
前記赤外線により換気装置を連動させることを特徴とする電磁調理器。
【請求項３】
前記赤外線発光素子は、前記回路基板上に複数設けられ、
前記赤外線照射口及び前記反射板は、前記赤外線発光素子の数に対応して設けられていることを特徴とする請求項１又は２記載の電磁調理器。
【請求項４】
調理器本体の上部に設置された天板と、
前記天板の外周部に設けられた枠体と、
調理器本体を正面から見て手前側の枠体に設けられ、調理器本体内の各加熱源の火力を操作する操作パネルと、
手前側の枠体の内側にその面と平行になるように配置された前記操作パネルの回路基板と、
前記回路基板上に設けられた赤外線発光素子と、
手前側の枠体に設けられた赤外線照射口と、
前記赤外線発光素子と前記赤外線照射口との間に挿入された導光板とを備え、
手前側の枠体は、手前に向かうに従って下方に傾斜し、
前記導光板は、前記赤外線発光素子からの赤外線が枠体の傾斜面に設けられた前記赤外線照射口から前記操作パネルを介して前記天板の上方に位置する換気装置に向けて照射されるように構成され、
前記赤外線により換気装置を連動させることを特徴とする電磁調理器。
【請求項５】
前記赤外線発光素子は、前記回路基板上に１つ又は複数設けられ、
前記赤外線照射口は、前記赤外線発光素子の数に対応して設けられ、
前記導光板は、前記赤外線発光素子の数に対応して赤外線入射面を有し、さらに、前記赤外線照射口の数に対応して赤外線照射面を有していることを特徴とする請求項４記載の電磁調理器。
【請求項６】
調理器本体の上部に設置された天板と、
前記天板の外周部に設けられた枠体と、
調理器本体内の回路基板上に設けられた赤外線発光素子と、
調理器本体を正面から見て手前側の枠体以外の枠体の上部に設けられた赤外線照射口と、
前記赤外線発光素子と前記赤外線照射口との間に挿入された導光板とを備え、
前記赤外線発光素子の赤外線により前記天板の上方に位置する換気装置を連動させることを特徴とする電磁調理器。
【請求項７】
調理器本体の上部に設置された天板と、
前記天板の外周部に設けられた枠体と、
調理器本体を正面から見て手前側の枠体に設けられ、調理器本体内の各加熱源の火力を操作する操作パネルと、
手前側の枠体の内側にその面と平行になるように配置された前記操作パネルの回路基板と、
前記回路基板上に設けられた赤外線発光素子と、
前記赤外線発光素子と前記天板の前端部の側面との間に挿入された第１の導光板と、
調理器本体を正面から見て奧の枠体の上部に設けられた赤外線照射口と、
前記天板の後端部の側面と前記赤外線照射口との間に挿入された第２の導光板とを備え、
手前側の枠体は、手前に向かうに従って下方に傾斜し、
前記第１の導光板は、前記回路基板上の赤外線発光素子からの赤外線を前記天板の側面に入射させるように構成され、
前記第２の導光板は、前記天板の後端部の側面からの赤外線を上方に直角に反射させて前記赤外線照射口から照射させるように構成され、
前記赤外線発光素子の赤外線により前記天板の上方に位置する換気装置を連動させることを特徴とする電磁調理器。
【請求項８】
前記第１の導光板に代えて、前記赤外線発光素子の赤外線を前記天板の側面に入射させる第１の反射板を手前側の枠体に設け、前記第２の導光板に代えて、前記天板の後端部の側面からの赤外線を上方に直角に反射させて前記赤外線照射口から照射させる第２の反射板を調理器本体に設けたことを特徴とする請求項７記載の電磁調理器。
【請求項９】
前記赤外線発光素子からの赤外線を受光する赤外線受光部を有し、前記赤外線を前記赤外線受光部を介して検知したときに換気ファンを駆動する換気装置を備えたことを特徴とする請求項１乃至８の何れかに記載の電磁調理器。
【発明の詳細な説明】
【技術分野】
【０００１】
本発明は、例えばシステムキッチンに組み込まれた電磁調理器に係わり、さらに詳しくは、その上方に設置された換気装置を連動させる電磁調理器に関するものである。
【背景技術】
【０００２】
従来の電磁調理器は、本調理器を使用するために操作部のスイッチをオンすると、天板に設けられた信号発信部から稼動信号を発信し、換気装置に設けられた受信部に受信させて換気ファンを駆動させている（例えば、特許文献１参照）。
【先行技術文献】
【特許文献】
【０００３】
【特許文献１】特開２００７−４０６４６号公報（第５−４頁、図１）
【発明の概要】
【発明が解決しようとする課題】
【０００４】
ところで、使用していない鍋やフライパンなどを重ねて天板の奧に置くことがあり、そのままの状態で手前側の加熱口を用いて加熱調理を行った場合、信号発信部からの信号が天板上のフライパンによって遮られ、換気装置に設けられた受信部に受信されないということがある。
【０００５】
本発明は、前記のような課題を解決するためになされたもので、天板上に鍋やフライパンなどが置かれていても換気装置を連動させることのできる電磁調理器を提供することを目的とする。
【課題を解決するための手段】
【０００６】
本発明に係る電磁調理器は、調理器本体の上部に設置された天板と、天板の外周部に設けられた枠体と、調理器本体を正面から見て手前側の枠体に設けられ、調理器本体内の各加熱源の火力を操作する操作パネルと、手前側の枠体の内側にその面と平行になるように配置され、操作パネルの回路基板と、回路基板上に設けられた赤外線発光素子と、手前側の枠体に設けられた赤外線照射口と、赤外線照射口の近傍に回路基板の方向に延びて設けられた反射板とを備え、手前側の枠体は、手間に向かうに従って下方に傾斜し、反射板は、その傾斜面に設けられた赤外線照射口から赤外線発光素子の赤外線が天板の上方に位置する換気装置に向けて照射されるように角度が設定され、赤外線により換気装置を連動させるようにしたものである。
【発明の効果】
【０００７】
本発明においては、手前側の枠体の傾斜面に設けられた赤外線照射口から赤外線発光素子の赤外線が天板の上方に位置する換気装置に向けて照射されるようにしたので、天板上に載置された不使用の調理容器などによって赤外線が遮断されるということがなくなり、このため、電磁調理器を使用した際には確実に赤外線発光素子からの赤外線によって換気装置を連動させることができる。
【図面の簡単な説明】
【０００８】
【図１】本発明の実施の形態１に係る電磁調理器の外観を示す斜視図である。
【図２】システムキッチンに組み込まれた電磁調理器を示す部分斜視図である。
【図３】システムキッチンに組み込まれた電磁調理器と換気装置の相関を示す側面図である。
【図４】電磁調理器の手前側に設けられた上面操作パネルの内側を示す断面図である。
【図５】本発明の実施の形態２を示す電磁調理器の手前側に設けられた上面操作パネルの内側を示す断面図である。
【図６】本発明の実施の形態３を示す電磁調理器の手前側に設けられた上面操作パネルの内側を示す断面図である。
【図７】本発明の実施の形態４の電磁調理器に設けられた導光板の外観を示す斜視図である。
【図８】本発明の実施の形態５の電磁調理器に設けられた導光板の外観を示す斜視図である。
【図９】本発明の実施の形態６の電磁調理器に設けられた導光板の外観を示す斜視図である。
【図１０】本発明の実施の形態７に係る電磁調理器の一部を切断して示す部分断面図である。
【図１１】本発明の実施の形態８に係る電磁調理器の上部側を切断して示す部分断面図である。
【図１２】本発明の実施の形態８の他の形態を示す電磁調理器の部分断面図である。
【発明を実施するための形態】
【０００９】
実施の形態１．
図１は本発明の実施の形態１に係る電磁調理器の外観を示す斜視図、図２はシステムキッチンに組み込まれた電磁調理器を示す部分斜視図、図３はシステムキッチンに組み込まれた電磁調理器と換気装置の相関を示す側面図、図４は電磁調理器の手前側に設けられた上面操作パネルの内側を示す断面図である。
【００１０】
図において、調理器本体１の上部には、外周部に枠体３が設けられた耐熱強化ガラス製の天板２が取り付けられている。この天板２には、鍋やフライパンなどの調理容器の載置位置を示す円形状の加熱口４、５、６が配置されている。各加熱口４、５、６に対向して天板２の下側に誘導加熱コイル（図示せず）が加熱源として配置されている。なお、中央の加熱口６の加熱源としてラジエントヒータを用いても良い。
【００１１】
調理器本体１を正面から見て手前側の枠体３には操作パネル７（以下、「上面操作パネル７」という）が取り付けられ、天板２の手前側の中央には表示部９が配置され、天板２の奧側の枠体３には吸排気口１０が設けられている。上面操作パネル８には、各加熱口４、５、６と後述するグリルの各火力を設定する火力設定スイッチや、火力設定スイッチの操作に応じて点灯する火力表示ランプなどが配置されている。また、上面操作パネル８には、後述する赤外線発光素子からの赤外線を上方に照射させる例えば２つの赤外線透過部８が配置されている。この赤外線透過部８は、パネルに形成された例えば四辺形の透明部分であり、後述する２つの赤外線照射口をそれぞれ覆っている。表示部９は、例えばＬＣＤ（液晶表示装置）からなり、スイッチ操作に応じて調理メニューや調理モードを表示したり、加熱源の動作状態を表示する。
【００１２】
調理器本体１の前面には、調理器本体１内に収容されたグリルに開閉自在に取り付けられたグリル扉１３が配置されている。そのグリル内には、シーズヒーターからなる上ヒーターと下ヒーターが配置されている。また、グリル扉１３の両側には、手前側の各加熱口４、５の火力をそれぞれ設定する前面操作部１１、１２が配置されている。
【００１３】
前記のように構成された調理器本体１をシステムキッチンに組み込んだ場合、図２に示すように、キッチンのワークトップ２０上に枠体３によって囲まれた天板２が露出し、キッチンの正面に前面操作部１１、１２及びグリル扉１３が露出した状態で設置される。調理器本体１の天板２の上方には、図３に示すように、換気装置２１が壁面や天井に取り付けられている。この換気装置２１は、吸気口の近傍に設けられた換気ファン（図示せず）を制御するファン制御回路（図示せず）を備えている。また、メーカーによって異なるが、例えば換気装置２１を正面から見て右側の下部に赤外線受光部２２が取り付けられている。
【００１４】
前述のファン制御回路は、上面操作パネル７の赤外線透過部８からの赤外線が赤外線受光部２２によって受光されると、換気ファン（図示せず）を駆動し、再び、赤外線が受光されたときに換気ファンの駆動を停止する。つまり、赤外線に搬送されたオン命令や、オフ命令に応じて換気ファンを駆動したり、停止したりする。なお、赤外線受光部２２に赤外線が受光されているあいだ換気ファンを駆動し、赤外線の受光が断たれたときに換気ファンの駆動を停止するようにしても良い。
【００１５】
上面操作パネル７が設けられた枠体３は、図４に示すように、調理器本体１を正面から見て手間に向かうに従って下方に傾斜している。その傾斜面には、上面操作パネル７の赤外線透過部８により覆われた２つの赤外線照射口３ｂが設けられている。この赤外線照射口３ｂは、枠体３の傾斜面をコの字状に切り込んで形成された板を内側に折り曲げてなる四辺形の穴である。その板は赤外線の反射板３ａとして用いられている。枠体３の内側には、枠体３と平行になるように上面操作パネル７の回路基板３１が配置されている。この回路基板３１には、前述した２つの赤外線発光素子３０が実装されている。前述した反射板３ａは、赤外線発光素子３０からの赤外線が調理器本体１の上方に位置する換気装置２１の赤外線受光部２２に向けて照射されるように角度θが設定されている。
【００１６】
実施の形態１においては、枠体３の傾斜面と同じ角度で傾斜する回路基板３１上の２つの赤外線発光素子３０から赤外線が照射されると、その赤外線は、枠体３に設けられたそれぞれの反射板３ａにより反射され、枠体３の赤外線照射口３ｂを通って、上面操作パネル７の赤外線透過部８から調理器本体１の上方に位置する換気装置２１の赤外線受光部２２に向けて照射される。
【００１７】
以上のように、調理器本体１を正面から見て手間に傾斜する上面操作パネル７の赤外線透過部８からの赤外線を換気装置２１の赤外線受光部２２に受光させる構成としたので、天板２上に載置された不使用の調理容器などによって赤外線が遮断されるということがなくなり、このため、電磁調理器を使用した際には確実に赤外線発光素子３０の赤外線によって換気装置２１を連動させることができる。また、電磁調理器の使用を終了したときには換気装置２１が停止するので、換気装置２１における省エネを実現できる。
【００１８】
実施の形態２．
実施の形態２は、回路基板を保持する樹脂成型品の基板ホルダーに上面操作パネルが設けられた電磁調理器である。
図５は本発明の実施の形態２を示す電磁調理器の手前側に設けられた上面操作パネルの内側を示す断面図である。なお、実施の形態１と同様の部分には同じ符号を付している。
【００１９】
実施の形態２の電磁調理器は、外観が図１と同じであり、調理器本体１を正面から見て手前側の枠体３が手前に向かうに従って下方に傾斜している。図５に示すように、その枠体３の傾斜面には、上部が露出する基板ホルダー３２が設けられ、基板ホルダー３２の内側には、その面と平行になるように回路基板３１が保持されている。基板ホルダー３２の上部には上面操作パネル７が設けられ、回路基板３１には、前述したように赤外線を照射する２つの赤外線発光素子３０が実装されている。
【００２０】
上面操作パネル８には、赤外線発光素子３０からの赤外線を上方に照射させる２つの透明の赤外線透過部８が設けられている。基板ホルダー３２には、赤外線透過部８によって覆われた２つの赤外線照射口３ｂが設けられている。また、基板ホルダー３２には、下方に直角に折り曲げられて回路基板３１側に延び、さらに上方に折り返し曲げられて形成された反射板３２ａが設けられている。この反射板３２ａは、赤外線照射口３ｂ毎に設けられている。赤外線照射口３ｂと反射板３２ａは、基板ホルダー３２の成型の際に形成されたものである。各反射板３ａは、赤外線発光素子３０からの赤外線が調理器本体１の上方に位置する換気装置２１の赤外線受光部２２に照射されるように角度θが設定されている。
【００２１】
実施の形態２においては、枠体３の傾斜面と同じ角度で傾斜する回路基板３１上の２つの赤外線発光素子３０から赤外線が照射されると、その赤外線は、基板ホルダー３２に設けられたそれぞれの反射板３２ａにより反射され、基板ホルダー３２の赤外線照射口３ｂを通って、上面操作パネル７の赤外線透過部８から調理器本体１の上方に位置する換気装置２１の赤外線受光部２２に向けて照射される。
【００２２】
以上のように、調理器本体１を正面から見て手間に傾斜する上面操作パネル７の赤外線透過部８からの赤外線を換気装置２１の赤外線受光部２２に受光させる構成としたので、天板２上に載置された不使用の調理容器などによって赤外線が遮断されるということがなくなり、このため、電磁調理器を使用した際には確実に赤外線発光素子３０の赤外線によって換気装置２１を連動させることができる。また、電磁調理器の使用を終了したときには換気装置２１が停止するので、換気装置２１における省エネを実現できる。
【００２３】
実施の形態３．
実施の形態３は、赤外線発光素子と赤外線照射口との間に、赤外線発光素子からの赤外線を換気装置の赤外線受光部に向けて照射する導光板を備えたものである。
図６は本発明の実施の形態３を示す電磁調理器の手前側に設けられた上面操作パネルの内側を示す断面図である。なお、実施の形態１と同様の部分には同じ符号を付している。
【００２４】
実施の形態３の電磁調理器は、外観が図１と同じであり、調理器本体１を正面から見て手前側の枠体３が手前に向かうに従って下方に傾斜している。図６に示すように、その枠体３の傾斜面には、上面操作パネル７に設けられた２つの赤外線透過部８により覆われた赤外線照射口３ｂが設けられている。この赤外線照射口３ｂは、前述したように、枠体３の傾斜面をコの字状に切り込んで形成された板を内側に折り曲げてなる四辺形の穴である。枠体３の内側には、枠体３と平行になるように上面操作パネル７の回路基板３１が配置されている。この回路基板３１には、前述したように２つの赤外線発光素子３０が実装されている。
【００２５】
それぞれの赤外線発光素子３０及び赤外線照射口３ｂの間には、それぞれ導光板３３が挿入されている。この導光板３３は、赤外線発光素子３０からの赤外線が調理器本体１の上方に位置する換気装置２１の赤外線受光部２２に照射されるように構成されている。
【００２６】
実施の形態３においては、枠体３の傾斜面と同じ角度で傾斜する回路基板３１上の２つの赤外線発光素子３０から赤外線が照射されると、その赤外線は、それぞれ導光板３３に入射し、各導光板３３によって枠体３の赤外線照射口３ｂ側に向けて照射される。そして、その赤外線照射口３ｂを通って上面操作パネル７の赤外線透過部８から調理器本体１の上方に位置する換気装置２１の赤外線受光部２２に向けて照射される。
【００２７】
以上のように、調理器本体１を正面から見て手間に傾斜する上面操作パネル７の赤外線透過部８から照射された赤外線を換気装置２１の赤外線受光部２２に受光させるように構成したので、天板２上に載置された不使用の調理容器などによって赤外線が遮断されるということがなくなり、このため、電磁調理器を使用した際には確実に赤外線発光素子３０の赤外線によって換気装置２１を連動させることができる。また、電磁調理器の使用を終了したときには換気装置２１が停止するので、換気装置２１における省エネを実現できる。
【００２８】
実施の形態４．
実施の形態４は、赤外線発光素子と赤外線照射口との間に、赤外線発光素子からの赤外線を複数箇所から換気装置の赤外線受光部に向けて照射する導光板を備えたものである。
図７は本発明の実施の形態４の電磁調理器に設けられた導光板の外観を示す斜視図である。なお、実施の形態１と同様の部分には同じ符号を付している。
【００２９】
実施の形態４の電磁調理器は、図７に示すように、１つの赤外線発光素子３０からの赤外線が入射される１つの赤外線入射面３４ａ及びその赤外線入射面３４ａに入射して分離された赤外線を照射する４つの赤外線照射面３４ｂをそれぞれ有する導光板３４を備えている。この導光板３４は、４つの赤外線照射面３４ｂが枠体３の傾斜面に設けられた赤外線照射口３ｂを介して上面操作パネル７の４つの赤外線透過部８と対向しており、赤外線発光素子３０からの赤外線が調理器本体１の上方に位置する換気装置２１の赤外線受光部２２に照射されるように構成されている。
【００３０】
実施の形態４においては、調理器本体１を正面から見て手間に傾斜する上面操作パネル７の４箇所の赤外線透過部８から照射された赤外線を換気装置２１の赤外線受光部２２に受光させるように構成したので、天板２上に載置された不使用の調理容器などによって赤外線が遮断されるということがなくなり、このため、電磁調理器を使用した際には確実に赤外線発光素子３０の赤外線によって換気装置２１を連動させることができる。また、何らかの原因で１つ又は２つの赤外線透過部８が塞がれても導光板３４にて分離された赤外線を残りの赤外線透過部８から照射させることができ、より確実に換気装置２１を連動させることができる。また、電磁調理器の使用を終了したときには換気装置２１が停止するので、換気装置２１における省エネを実現できる。
【００３１】
実施の形態５．
実施の形態５は、赤外線発光素子と赤外線照射口との間に、複数の赤外線発光素子からの赤外線を複数箇所から換気装置の赤外線受光部に向けて照射する導光板を備えたものである。
図８は本発明の実施の形態５の電磁調理器に設けられた導光板の外観を示す斜視図である。なお、実施の形態１と同様の部分には同じ符号を付している。
【００３２】
実施の形態５の電磁調理器は、図８に示すように、例えば３つの赤外線発光素子３０に対向して設けられた３つの赤外線入射面３５ａ及び各赤外線入射面３５ａにそれぞれ入射して分離された赤外線を照射する４つの赤外線照射面３５ｂをそれぞれ有する導光板３５を備えている。この導光板３５は、４つの赤外線照射面３５ｂが枠体３の傾斜面に設けられた赤外線照射口３ｂを介して上面操作パネル７の４つの赤外線透過部８と対向しており、赤外線発光素子３０からの赤外線が調理器本体１の上方に位置する換気装置２１の赤外線受光部２２に照射されるように構成されている。
【００３３】
実施の形態５においては、調理器本体１を正面から見て手間に傾斜する上面操作パネル７の４箇所の赤外線透過部８から照射された赤外線を換気装置２１の赤外線受光部２２に受光させるように構成したので、天板２上に載置された不使用の調理容器などによって赤外線が遮断されるということがなくなり、このため、電磁調理器を使用した際には確実に赤外線発光素子３０の赤外線によって換気装置２１を連動させることができる。また、１つの導光板３５に３つの赤外線発光素子３０を設けたので、赤外線の照射量が増加し、このため、より確実に換気装置２１を連動させることができる。また、電磁調理器の使用を終了したときには換気装置２１が停止するので、換気装置２１における省エネを実現できる。
【００３４】
実施の形態６．
実施の形態６は、赤外線発光素子と赤外線照射口との間に、複数の赤外線発光素子からの赤外線を１箇所から換気装置の赤外線受光部に向けて照射する導光板を備えたものである。
図９は本発明の実施の形態６の電磁調理器に設けられた導光板の外観を示す斜視図である。なお、実施の形態１と同様の部分には同じ符号を付している。
【００３５】
実施の形態６の電磁調理器は、図９に示すように、例えば３つの赤外線発光素子３０に対向して設けられた３つの赤外線入射面３６ａ及び赤外線入射面３６ａにそれぞれ入射された赤外線を照射する１つの赤外線照射面３６ｂをそれぞれ有する導光板３６を備えている。この導光板３６は、１つの赤外線照射面３６ｂが枠体３の傾斜面に設けられた赤外線照射口３ｂを介して上面操作パネル７の１つの赤外線透過部８と対向しており、３つの赤外線発光素子３０からの赤外線が調理器本体１の上方に位置する換気装置２１の赤外線受光部２２に照射されるように構成されている。
【００３６】
実施の形態６においては、調理器本体１を正面から見て手間に傾斜する上面操作パネル７の１箇所の赤外線透過部８から照射された赤外線を換気装置２１の赤外線受光部２２に受光させるように構成したので、天板２上に載置された不使用の調理容器などによって赤外線が遮断されるということがなくなり、このため、電磁調理器を使用した際には確実に赤外線発光素子３０の赤外線によって換気装置２１を連動させることができる。また、１つの導光板３５に３つの赤外線発光素子３０からの赤外線を入射させて１つの赤外線照射面３６ｂから照射させるようにしたので、赤外線の照射量がさらに増加し、このため、より確実に換気装置２１を連動させることができる。
【００３７】
実施の形態７．
実施の形態７は、調理器本体を正面から見て両側の枠体のうち例えば右側の枠体から赤外線を照射させるようにしたものである。
図１０は本発明の実施の形態７に係る電磁調理器の一部を切断して示す部分断面図である。なお、実施の形態１と同様の部分には同じ符号を付している。
【００３８】
図において、調理器本体１は、天板２の外周部に設けられた枠体３によってキッチンのワークトップ２０に係止されている。その枠体３のうち右側の枠体３の上部には赤外線照射口３ｂが設けられ、その赤外線照射口３ｂには透明の樹脂製よりなる赤外線透過部８が覆われている。赤外線発光素子３０は、加熱口５の加熱源である誘導加熱コイルの回路基板３１上に実装されている。赤外線透過部８と赤外線発光素子３０との間には、赤外線発光素子３０からの赤外線を赤外線透過部８まで導く導光板３７が設けられている。
【００３９】
実施の形態７においては、回路基板３１上の赤外線発光素子３０から赤外線が照射されると、その赤外線は、導光板３７に入射し、導光板３７によって赤外線照射口３ｂまで導かれ、枠体３の赤外線透過部８から調理器本体１の上方に位置する換気装置２１の赤外線受光部２２に向けて照射される。
【００４０】
以上のように、調理器本体１を正面から見て右側の枠体３の赤外線透過部８から赤外線発光素子３０の赤外線を照射するようにしたので、天板２上に載置された不使用の調理容器などによって赤外線が遮断されるということがなくなり、このため、電磁調理器を使用した際には確実に赤外線発光素子３０の赤外線によって換気装置２１を連動させることができる。また、電磁調理器の使用を終了したときには換気装置２１が停止するので、換気装置２１における省エネを実現できる。
【００４１】
なお、実施の形態７では、赤外線発光素子３０の赤外線を右側の枠体３から照射するようにしたが、これに代えて、左側の枠体３から赤外線を照射させるようにしても良いし、左右両側の枠体３からそれぞれ赤外線を照射させるように構成しても良い。
【００４２】
実施の形態８．
実施の形態８は、天板を導光板として使用し、天板に導かれた赤外線を奧の枠体３から上方に照射させるようにしたものである。
図１１は本発明の実施の形態８に係る電磁調理器の上部側を切断して示す部分断面図である。なお、実施の形態１と同様の部分には同じ符号を付している。
【００４３】
図において、上面操作パネル７の内側に設けられた導光板３８（第１の導光板）は、回路基板３１上の赤外線発光素子３０からの赤外線を天板２の側面に導くように構成されている。その上面操作パネル７は、調理器本体１を正面から見て手前側の枠体３に設けられている。前述の回路基板３１は、その枠体３と同じ角度で傾斜して設置されている。
【００４４】
天板２の奧に設けられた枠体３の上部には赤外線照射口３ｂが設けられ、その赤外線照射口３ｂには透明の樹脂製よりなる赤外線透過部８が覆われている。その枠体３の内側には、天板２の奧の側面から照射された赤外線を赤外線照射口３ｂに導く導光板３９（第２の導光板）が設けられている。
【００４５】
実施の形態８においては、回路基板３１上の赤外線発光素子３０から赤外線が照射されると、その赤外線は、導光板３８に入射して天板２の側面まで導かれる。そして、天板２内で拡散され、奧の導光板３９に入射する。導光板３９に入射された赤外線は、導光板３７によって上方に直角に屈折して赤外線照射口３ｂまで導かれ、赤外線透過部８から調理器本体１の上方に位置する換気装置２１の赤外線受光部２２に向けて照射される。
【００４６】
以上のように、上面操作パネル７の内側に設けられた赤外線発光素子３０の赤外線を天板２の中を通して奧の枠体３の赤外線透過部８から上方に照射させるようにしたので、天板２上に載置された不使用の調理容器などによって赤外線が遮断されるということがなくなり、このため、電磁調理器を使用した際には確実に赤外線発光素子３０の赤外線によって換気装置２１を連動させることができる。また、電磁調理器の使用を終了したときには換気装置２１が停止するので、換気装置２１における省エネを実現できる。
【００４７】
なお、実施の形態８では、赤外線発光素子３０の赤外線を導光板３８によって天板に導き、天板２内に導かれた赤外線をもう一つの導光板３９によって奧の枠体３から上方に照射させるようにしたが、導光板３８に代えて、赤外線発光素子３０の赤外線を天板２の側面に入射させる反射板４０（第１の反射板）を手前側の枠体３に設け、もう一つの導光板３９に代えて、天板２の奧の側面からの赤外線を上方に直角に反射させ、赤外線照射口３ｂを介して枠体３の赤外線透過部８から照射させる反射板４１（第２の反射板）を調理器本体１の奧の上部に設けても良い。
【符号の説明】
【００４８】
１  調理器本体、２  天板、３  枠体、３ａ  反射板、３ｂ  赤外線照射口、４〜６  加熱口、７  上面操作パネル、８  赤外線透過部、９  表示部、２０  ワークトップ、２１  換気装置、２２  赤外線受光部、３０  赤外線発光素子、３１  回路基板、３２  基板ホルダー、３２ａ  反射板、３３，３４〜３６  導光板、３４ａ〜３６ａ  赤外線入射面、３４ｂ〜３６ｂ  赤外線照射面、３７〜３９  導光板、４０，４１  反射板。
【図１】
2010238584.tif 000003
【図２】
2010238584.tif 000004
【図３】
2010238584.tif 000005
【図４】
2010238584.tif 000006
【図５】
2010238584.tif 000007
【図６】
2010238584.tif 000008
【図７】
2010238584.tif 000009
【図８】
2010238584.tif 000010
【図９】
2010238584.tif 000011
【図１０】
2010238584.tif 000012
【図１１】
2010238584.tif 000013
【図１２】
2010238584.tif 000014